(57)【要約】      （修正有）【課題】種々の女性疾患を効果的に予防することができ、着心地や肌触り、通気性が優れるとともに、月経血や尿などを迅速に吸収して安全に保持し、漏れも効果的に遮断することができる吸収用品を提供する。【解決手段】吸収パッド１２は木材パルプウェブ１２ｂと、綿からなった不織布１２ａが木材パルプウェブ１２ｂ上に積層される。不織布１２ａの表面には長手方向に連続的に形成された谷部分が幅方向に沿って一定の間隔で形成される。【選択図】図１
2020000830.tif 000002
【特許請求の範囲】
【請求項１】
木材パルプウェブ（１２ｂ）と、前記木材パルプウェブ（１２ｂ）上に積層され、綿からなった不織布（１２ａ）で構成され、前記不織布（１２ａ）は表面に長手方向に沿って連続的に形成された谷部分が幅方向に沿って一定の間隔で形成されている吸収パッド（１２）を含むことを特徴とする吸収用品。
【請求項２】
前記吸収用品は生理用ナプキン及びおむつの中から選ばれた１種であることを特徴とする請求項１に記載の吸収用品。
【請求項３】
前記吸収パッド（１２）を構成する不織布（１２ａ）はオーガニックコットンからなることを特徴とする請求項１に記載の吸収用品。
【請求項４】
前記吸収パッド（１２）を構成する不織布（１２ａ）はカレンダロールで圧着処理した圧着不織布であることを特徴とする請求項１に記載の吸収用品。
【請求項５】
生理用ナプキンは一字状本体（１０）及び、前記一字状本体（１０）の両側辺にそれぞれ形成された翼部（２０）で構成され、前記一字状本体（１０）は、（ｉ）防水フィルムからなる下部カバー層（１１）、（ｉｉ）木材パルプウェブ（１２ｂ）と、前記木材パルプウェブ（１２ｂ）上に積層され、綿からなった不織布（１２ａ）とから構成された吸収パッド（１２）、及び（ｉｉｉ）綿からなる不織布の形態である上部カバー層（１３）で構成され、前記不織布（１２ａ）は表面に長手方向に沿って連続的に形成された谷部分が幅方向に沿って一定の間隔で形成されていることを特徴とする請求項２に記載の吸収用品。
【請求項６】
前記翼部（２０）は、（ｉ）防水フィルムからなる下部カバー層、及び（ｉｉ）前記下部カバー層上に積層され、綿からなった不織布の形態である上部カバー層で構成されることを特徴とする請求項５に記載の吸収用品。
【発明の詳細な説明】
【技術分野】
【０００１】
本発明は吸収用品に関するもので、より詳細には、種々の女性疾患を効果的に予防すると共に、通気性、肌触りや着心地に優れ、月経血や尿などを安全に吸収／保持できるので、月経血や尿などが吸収用品の幅方向に漏れることを効果的に防止することができる吸収用品に関するものである。
【０００２】
以下、本発明では遺伝子組み換え（ＧＭＯ）を経ていない自然のままである綿の種子を使用し、合成肥料、殺虫剤及び農薬を使用せず栽培した綿を「オーガニックコットン」と呼ばれ、生理用ナプキンとおむつを総括して「吸収用品」と呼ばれる。
【背景技術】
【０００３】
吸収用品の一例である生理用ナプキンは月経血のような女性の分泌物を吸収して収容することができる分泌物吸収パッドであって、従来の生理用ナプキンは基本的に、上部カバー層、吸収パッド及び下部カバー層が順に積層されており、生理用ナプキンの両側面に翼部が形成された構造である。上部カバー層は皮膚と直接接触して月経血や膣分泌物を吸収パッドなどに通過させる役割をし、吸収パッドは月経血を直接吸収して保持する役割をし、下部カバー層は月経血が漏れないように防ぐ防水層の役割を行うようになる。
【０００４】
従来の生理用ナプキンとしては、特許文献１等に記載されているように、吸収パッドを合成繊維不織布、パルプ及び高分子吸収体で形成し、上部カバー層をポリプロピレンなどの合成繊維不織布で形成した生理用ナプキンが主に使用されてきた。しかし、高分子吸収体、合成繊維不織布の使用によって、通気性、肌触りや着心地が低下することは勿論、種々の女性疾患を引き起こす問題が発生した。また、月経血漏れ防止線が実質的に形成されていないため、月経血の漏れを効果的に遮断することができない問題もある。
【０００５】
また他の従来の生理用ナプキンとしては、吸収パッドの輪郭線に沿って凹溝からなった複数の月経血漏れ防止線を形成した生理用ナプキンが使用されている。しかし、この月経血漏れ防止線によっては月経血が吸収パッドの幅方向に漏れることを効果的に防止することが難しい問題がある。
【先行技術文献】
【特許文献】
【０００６】
【特許文献１】韓国実用新案登録公報第２０−０３０５８３３号
【発明の概要】
【発明が解決しようとする課題】
【０００７】
本発明の目的は、種々の女性疾患を効果的に予防することができ、着心地や肌触りに優れ、通気性にも優れており、月経血や尿などを迅速に吸収して安全に保持することができ、月経血や尿の漏れも効果的に遮断することができる吸収用品を提供するものである。
【課題を解決するための手段】
【０００８】
前述したような目的を達成するために、本発明の一様態によれば、吸収用品に含まれて月経血や尿を吸収／保持する役割を行う吸収パッドであって、木材パルプウェブ（Ｗｅｂ）１２ｂと、この木材パルプウェブ１２ｂ上に積層され、綿からなった不織布１２ａで構成され、不織布１２ａの表面には長手方向に沿って連続的に形成された谷部分（Ｖａｌｌｅｙ  ｐａｒｔ）が幅方向に沿って一定の間隔で形成されている吸収パッド１２を使用して製造した吸収用品を提供する。
【発明の効果】
【０００９】
本発明の吸収用品によれば、吸収パッド１２層をなす綿（Ｃｏｔｔｏｎ）素材の不織布１２ａの表面に長手方向に沿って連続的に形成された谷部分が幅方向に沿って一定の間隔で配列されて、吸収パッド１２の長手方向チャネルＣを形成するので、吸収用品の幅方向に月経血や尿などが漏れる現象を効果的に防止することができる。
【００１０】
また、本発明の吸収用品によれば、吸収パッド１２に綿からなった不織布１２ａと共に木材パルプウェブ１２ｂが含まれているので、月経血や尿などを迅速に吸収して安全に保持することができる。
【００１１】
また、本発明の吸収用品によれば、吸収パッド１２を構成する不織布１２ａが綿素材で構成されるので、種々の女性疾患を効果的に予防することができ、優れた通気性、肌触りや着心地を提供することができる。
【図面の簡単な説明】
【００１２】
【図１】本発明に係る吸収パッド１２を示す断面図である。
【図２】本発明の一実施形態に係る生理用ナプキンを示す平面図である。
【図３】図２のＡ−Ａ’線に沿って取った図２の一字状本体１０を示す断面図である。
【発明を実施するための形態】
【００１３】
以下、添付した図面等を参照して本発明を詳細に説明する。
本発明の吸収用品は図１に示すように、木材パルプウェブ１２ｂと、この木材パルプウェブ１２ｂ上に積層され、綿からなった不織布１２ａで構成され、この不織布１２ａは表面に長手方向に沿って連続的に形成された谷部分が幅方向に沿って一定の間隔で形成されている吸収パッド１２を含むことを特徴とする。
【００１４】
吸収用品は生理用ナプキンやおむつなどであり得る。
【００１５】
吸収パッド１２を構成する不織布１２ａは綿、より好ましくは、オーガニックコットンからなり、不織布１２ａは吸収用品の幅方向に沿って月経血や尿が漏れることを防止する側面から圧着処理した圧着不織布の形態であることが好ましい。
【００１６】
一実施形態として、本発明に係る生理用ナプキンは図２に示すように、一字状本体１０及び、この一字状本体１０の両側辺にそれぞれ形成された翼部２０で構成される。
【００１７】
一字状本体１０は、（ｉ）防水フィルムからなる下部カバー層１１、（ｉｉ）木材パルプウェブ１２ｂと、この木材パルプウェブ１２ｂ上に積層され、綿からなった不織布１２ａとから構成された吸収パッド１２、及び（ｉｉｉ）綿からなる不織布の形態である上部カバー層１３で構成される。
【００１８】
図１及び図３に示すように、吸収パッド１２を構成する不織布１２ａは、その表面に長手方向に沿って連続的に形成された谷部分が幅方向に沿って一定の間隔で形成された構造を有する。
【００１９】
図３に示すように、吸収パッド１２をなす不織布１２ａと上部カバー層１３との間には谷部分によってチャンネル（Ｃｈｅｎｎｅｌ）Ｃが形成される。その結果、月経血が吸収パッド１２の幅方向に濡れず、長手方向に沿って流れながら吸収される。
【００２０】
不織布１２ａは綿の単繊維が積層されたウェブ（Ｗｅｂ）をニードルパンチングの方法で交絡させた後、カレンダロールなどを使用して圧着させた圧着不織布であることが好ましい。
【００２１】
下部カバー層１１は合成樹脂フィルム又は生分解性フィルムなどからなり、使用後の廃棄時に環境汚染を最小化する側面から生分解性フィルムであることが好ましい。
【００２２】
吸収パッド１２をなす不織布１２ａと上部カバー層１３は綿素材のみでなった不織布素材で形成されているので、種々の女性疾患を予防する効果が非常に優れていると共に、着心地、肌触りや通気性にも優れている。
【００２３】
本発明の吸収用品は吸収パッド１２をなす綿の不織布１２ａの表面に長手方向に沿って連続的に形成された谷部分が幅方向に沿って一定の間隔で配列されて、吸収パッド１２の長手方向にチャンネルＣを形成するので、吸収用品の幅方向に沿って月経血が漏れる現象を効果的に防止することができる。
【００２４】
また、本発明の吸収用品は吸収パッド１２に綿からなった不織布１２ａと共に木材パルプウェブ１２ｂが含まれているので、月経血を迅速に吸収して安全に保持することができる。
【産業上の利用可能性】
【００２５】
以上のように、本発明によれば、種々の女性疾患を効果的に予防することができ、着心地や肌触りに優れ、通気性にも優れており、月経血や尿などを迅速に吸収して安全に保持することができ、月経血や尿の漏れも効果的に遮断することができる。
【符号の説明】
【００２６】
１２  吸収パッド
１２ａ  吸収パッドを構成する不織布
１２ｂ  吸収パッドを構成する木材パルプウェブ
Ｃ  チャンネル
１０  生理用ナプキンの一字状本体
２０  生理用ナプキンの翼部
１１  一字状本体の下部カバー層
１３  一字状本体の上部カバー層
【図１】
2020000830.tif 000003
【図２】
2020000830.tif 000004
【図３】
2020000830.tif 000005